(57)【特許請求の範囲】
【請求項１】
患者の検眼データを取得するための主制御板と、
前記主制御板と接続される上位コンピュータと、
を備えた小児用自動検眼分析システムであって、
前記上位コンピュータは、前記主制御板から得られた前記検眼データに応じて処理を実行し、対応する予備的眼鏡用レンズ処方データを生成し、収集されたプリセット患者情報に基づいて前記予備的眼鏡用レンズ処方データを補正し、患者に適した最終眼鏡用レンズ処方を生成し、
前記収集されたプリセット患者情報に基づく前記予備的眼鏡用レンズ処方データの補正には、前記予備的眼鏡用レンズ処方データを補正するための年齢に関連した補正係数の使用が含まれ、
前記眼鏡用レンズ処方は、小児の小児検眼に関する専門家データベースに基づいて生成され、
前記専門家データベースは、関連するデータベースモデルを確立するようにデータベース構築言語およびＣ言語を用いて専門家の眼鏡用レンズ処方の成功事案の統計分析を行うことにより形成される３〜１８歳の子供および小児からの大量の検眼データを含んでおり、
前記小児用自動検眼分析システムは、患者の年齢の認識に基づいて、小さい瞳孔度数と大きい瞳孔度数との二セットの眼鏡用レンズ処方を表示又は印刷し、
患者の年齢は所定数の年齢グループに分割され、
グループの年齢が増加するにつれて前記眼鏡用レンズ処方において与えられる眼鏡用レンズ処方の度数が増加するよう、前記補正係数は前記眼鏡用レンズ処方におけるそれぞれの年齢グループに対応しており、
前記眼鏡用レンズ処方において、瞳孔の拡張後の患者の屈折状態は一次基準要因として設定され、瞳孔の拡張前の患者の屈折状態は二次基準要因として設定されている、
小児用自動検眼分析システム。
【請求項２】
前記主制御板は、フィールドプログラマブルゲートアレイ（ＦＰＧＡ）ユニットを中央処理コアとして用い、
前記ＦＰＧＡユニットは、ＵＳＢインターフェース制御ユニットを通じてＵＳＢインターフェースと接続され、前記ＵＳＢインターフェースを通じて前記上位コンピュータと接続され、
前記ＦＰＧＡユニットは、ＩＯインターフェースを通じて光学システムと接続され、光電子アイソレータを通じて３軸モータを有する運動プラットフォームと接続され、
前記運動プラットフォームはさらにモータ駆動ユニットと接続され、
前記ＦＰＧＡユニットおよび前記モータ駆動ユニットは、共にレベル変換ユニットと接続されている、
請求項１に記載の小児用自動検眼分析システム。
【請求項３】
前記ＦＰＧＡユニットは、ＥＰ３Ｃ１６Ｑ２４０Ｃ８Ｎチップであり、
前記モータ駆動ユニットは、２相モータ専用のＳＬＡ７０４２Ｍドライバチップであり、
前記レベル変換ユニットは、１６ビット構成３．３Ｖ−５Ｖ用のＳＮ７４ＡＬＶＣ１６４２４５レベル変換チップであり、
前記ＵＳＢインターフェース制御ユニットは、ＰＤＩＵＳＢＤ１２チップである、
請求項２に記載の小児用自動検眼分析システム。
【請求項４】
前記ＦＰＧＡユニットは、
前記ＦＰＧＡユニットと前記上位コンピュータの前記ＵＳＢインターフェースとの間の通信を行うＦＰＧＡ内部ＵＳＢファームウェアプログラムとしてのＵＳＢインターフェース制御モジュールと、
外部クロックへの周波数分割多重化プロセスを行い、前記ＦＰＧＡユニットの動作に必要とされる種々の周波数のクロック信号を生成するクロックモジュールと、
前記上位コンピュータから受信したコマンドを分析し、規定されたコマンドプロトコルに応じて実行命令を生成し、前記実行命令を実行に対応するモジュールに送信するコマンド分析モジュールと、
前記コマンド分析モジュールから送信された３軸モータ制御コマンドを実行し、それぞれの軸のモータの細分化・変速度制御を実行し、最終的に前記モータ駆動ユニットへの種々のコマンドの送信を通じて３軸リンケージ制御を実行するモータ制御モジュールと、
前記光学システムのＬＥＤ赤外線光源および視覚補助光源を制御するための光源制御モジュールであって、前記視覚補助光源は、患者の視線方向を誘導するよう用いられ、前記ＬＥＤ赤外線光源は焦点合わせを補助するよう用いられる光源制御モジュールと、
を有する、
請求項２または３に記載の小児用自動検眼分析システム。
【請求項５】
前記眼鏡用レンズ処方において、
球面レンズ度数＝瞳孔の拡張後の球面レンズ度数−ｆ１係数であり、前記ｆ１係数は、年齢との相関および瞳孔の拡張後の球面レンズの度数との相関を有し、
円柱レンズ度数＝瞳孔の拡張後の円柱レンズ度数−ｆ２係数であり、前記ｆ２係数は、年齢との相関および瞳孔の拡張後の円柱レンズの度数との相関を有しており、
軸＝瞳孔の拡張後の軸である、
請求項１から４のいずれか１項に記載の小児用自動検眼分析システム。
【請求項６】
前記屈折状態は遠視を含み、前記眼鏡用レンズ処方において、球面レンズおよび円柱レンズの両方を無しとでき、前記円柱レンズが無しである場合、軸は無しであり、乱視の軸は１〜１８０の値で表わされ、
眼鏡用レンズ処方結果において、球面レンズおよび円柱レンズは正の数であり、最小値はブランクでありゼロと見なされ、
大きい瞳孔球面レンズは、小さい瞳孔球面レンズより大きく、
大きい瞳孔球面レンズは＋０．２５ＤＳ〜＋１５．００ＤＳであり、大きい瞳孔円柱レンズは＋０．２５ＤＣ〜＋８．２５ＤＣであり、
１つの大きい瞳孔円柱レンズは、５つの小さい瞳孔円柱レンズに対応する、
請求項１から５のいずれか１項に記載の小児用自動検眼分析システム。
【請求項７】
前記屈折状態は近視を含み、前記眼鏡用レンズ処方において、球面レンズおよび円柱レンズの両方を無しとでき、前記円柱レンズが無しである場合、軸は存在せず、
大きい瞳孔球面レンズが無しである場合、その対応する小さい瞳孔球面レンズ度数は−０．２５ＤＳの絶対値以上であり、
大きい瞳孔球面レンズ度数の絶対値は、小さい瞳孔球面レンズ度数の絶対値よりも小さく、
軸は小数点を用いない１〜１８０の範囲の正の整数であり、
大きい瞳孔球面レンズは０．２５単位で増分する−０．２５ＤＳ〜−１５．００ＤＳの範囲であり、大きい瞳孔円柱レンズは−０．２５ＤＣ〜−７．００ＤＣであり、軸は入力値として設定され、
大きい瞳孔と、小さい瞳孔と、眼鏡用レンズ処方軸と、は調和している、
請求項１から６のいずれか１項に記載の小児用自動検眼分析システム。
【発明の詳細な説明】
【技術分野】
【０００１】
本願は、小児のための眼の屈折補正に関し、特に小児用自動検眼分析システムに関する。
【背景技術】
【０００２】
医療技術の開発とともに、眼科のための検眼機械の開発が急速に進んでいる。現在、屈折計が広く世界中で用いられている。このことは、人々の検眼のニーズに対して非常に役立っている。しかしながら、検眼機械の作業者の技術レベルにおける差異、患者の協調（coordination）の効果、及び個人の調整能力の差異により、検眼結果の不一致や不確かさが生じることになる。これらの不正確な検眼結果に依存する結果、患者の眼の屈折補正に対して多くの悪影響を与える可能性がある。特に眼の発達期間に、小児の眼に重大なダメージが生じるおそれがある。技術が低い検眼士が、小児に不適当な眼鏡用レンズを処方すれば、視力が悪化することになる。臨床報告では、不適当な処方のために視力がより悪くなるという事案が多数報告されている。有名な眼科病院であってもこのような問題がある。経験を積んだ小児眼科医は、ほんのひと握りに過ぎない。屈折異常（ametropia）の小児に対する有効な診断および処方は、小児の眼科分野における重要な問題である。
【発明の概要】
【発明が解決しようとする課題】
【０００３】
具体的には、屈折異常の患者が眼鏡用レンズの処方に関する物理的な補正を受ける場合、検眼士は参考のための検眼器具を用いて近視や遠視に対する眼鏡用レンズの処方を案出し、そして適性検査期間を介して適切な眼鏡用レンズを作成する。眼鏡用レンズの適合度は、検眼士の能力、患者の認知レベルおよび患者の協調に応じて違ってくる。結果には不一致や不確かさが存在する。成人の眼が十分に発達しているので、たとえ眼鏡用レンズと眼の状態とが一致しなくても、眼にそれほど大きなダメージは生じない。しかしながら、この検眼過程がティーンエイジャー、特に小児に対して行われる場合、小児の眼が発達段階にあるので、結果は同じではない。小児の眼の屈折調整の発達の見込み（potential refraction adjustment）が考慮されず、眼鏡用レンズの処方が検眼機械によってのみ行われた場合、小児の眼の発達を損なうおそれ、眼の調整の十分な働き（the full play of eye adjustment）が阻害されるおそれ、眼の柔軟性が失われるおそれ、および視力が回復不能となるおそれがある。
【０００４】
適正な眼鏡用レンズの処方によって、疑似異常眼屈折（false abnormal eye refraction）の多くの患者を正常な視力に回復させることができる。これは、小児眼科医の優れた技術によるところが大きい。しかしながら、この技術を系統的に扱うことができる眼科医は不足している。したがって、小児眼科医の経験に左右されることなく、適正な眼鏡用レンズの処方を特に屈折異常の小児に対して便利にかつ正確に与えることができるよう、この問題を技術的に解決する必要がある。
【課題を解決するための手段】
【０００５】
一の観点では、患者の検眼データを取得するための主制御板と、主制御板と接続される上位コンピュータと、を備える小児用自動検眼分析システムを提供する。上位コンピュータは、主制御板から得られた検眼データに応じて処理を実行し、対応する予備的眼鏡用レンズ処方データを生成し、収集されたプリセット患者情報に基づいて予備的眼鏡用レンズ処方データを補正し、患者に適した最終眼鏡用レンズ処方を生成する。収集されたプリセット患者情報に基づく予備的眼鏡用レンズ処方データの補正には、予備的眼鏡用レンズ処方データを補正するための年齢に関連した補正係数の使用が含まれる。
【０００６】
一の態様では、主制御板は、フィールドプログラマブルゲートアレイ（ＦＰＧＡ）ユニットを中央処理コアとして用いる。ＦＰＧＡユニットは、ＵＳＢインターフェース制御ユニットを通じてＵＳＢインターフェースと接続され、ＵＳＢインターフェースを通じて上位コンピュータと接続される。ＦＰＧＡユニットはＩＯインターフェースを通じて光学システムと接続され、光電子アイソレータ（optoelectronic isolater）を通じて３軸モータを有する運動プラットフォーム（motion platform）と接続される。運動プラットフォームはさらにモータ駆動ユニットと接続される。ＦＰＧＡユニットおよびモータ駆動ユニットは、共にレベル変換ユニットと接続される。
【０００７】
一の態様では、ＦＰＧＡユニットは、ＥＰ３Ｃ１６Ｑ２４０Ｃ８Ｎチップである。モータ駆動ユニットは、２相モータ専用のＳＬＡ７０４２Ｍドライバチップである。レベル変換ユニットは、１６ビット構成３．３Ｖ−５Ｖ用のＳＮ７４ＡＬＶＣ１６４２４５レベル変換チップである。ＵＳＢインターフェース制御ユニットは、ＰＤＩＵＳＢＤ１２チップである。
【０００８】
一の態様では、ＦＰＧＡユニットは、ＵＳＢインターフェース制御モジュールと、クロックモジュールと、コマンド分析モジュールと、モータ制御モジュールと、光源制御モジュールと、を備える。ＵＳＢインターフェース制御モジュールは、ＦＰＧＡ内部ＵＳＢファームウェアプログラムとして、ＦＰＧＡユニットと上位コンピュータのＵＳＢインターフェースとの間の通信を行う。クロックモジュールは、外部クロックへの周波数分割多重化プロセス（frequency division and multiplication processes）を行い、ＦＰＧＡユニットの動作に必要とされる種々の周波数のクロック信号を生成する。コマンド分析モジュールは、上位コンピュータから受信したコマンドを分析し、規定されたコマンドプロトコルに応じて実行命令を生成し、実行命令を実行に対応するモジュールに送信する。モータ制御モジュールは、コマンド分析モジュールから送信された３軸モータ制御コマンドを実行し、それぞれの軸のモータの細分化・変速度制御（subdivision and variable control）を実行し、最終的にモータ駆動ユニットへの種々のコマンドの送信を通じて３軸リンケージ制御を実行する。光源制御モジュールは、光学システムのＬＥＤ赤外線光源および視覚補助光源を制御する。視覚補助光源は、患者の視線方向（eye-glazing direction）をガイド（誘導）するよう用いられる。ＬＥＤ赤外線光源は焦点合わせを補助するよう用いられる。
【０００９】
一の態様では、眼鏡用レンズ処方において、球面レンズ度数（spherical lens power）＝ 瞳孔の拡張（pupillary dilation）後の球面レンズ度数−ｆ１係数であり、ｆ１係数は年齢との相関および瞳孔の拡張後の球面レンズの度数との相関を有している。円柱レンズ度数（cylindrical lens power）＝瞳孔の拡張後の円柱レンズ度数−ｆ２係数であり、ｆ２係数は年齢との相関および瞳孔の拡張後の円柱レンズの度数との相関を有している。軸＝瞳孔の拡張後の軸である。
【００１０】
一の態様では、眼鏡用レンズ処方は、小児の小児検眼に関する専門家データベースに基づいて生成される。専門家データベースは、関連するデータベースモデルを確立するようにデータベース構築言語およびＣ言語を用いて専門家の眼鏡用レンズ処方の成功事案の統計分析を行うことにより形成される３〜１８歳の子供および小児からの大量の検眼データを含んでいる。小児用自動検眼分析システムは、患者の年齢の認識に基づいて、小さい瞳孔度数（pupil power）と大きい瞳孔度数との二セットの眼鏡用レンズ処方を表示又は印刷する。
【００１１】
一の態様では、患者の年齢は所定数の年齢グループに分割される。グループの年齢が増加するにつれて眼鏡用レンズ処方において与えられる眼鏡用レンズ処方の度数（eyeglass prescription power）が増加するよう、補正係数は眼鏡用レンズ処方におけるそれぞれの年齢グループに対応する。眼鏡用レンズ処方において、瞳孔の拡張後の患者の屈折状態は一次基準要因として設定され、瞳孔の拡張前の患者の屈折状態は二次基準要因として設定される。
【００１２】
一の態様では、屈折状態は遠視を含み、眼鏡用レンズ処方において、球面レンズおよび円柱レンズ（spherical lens and cylindrical lens）の両方を無し（null）とでき、円柱レンズが無し（null）である場合、軸は無し（null）であり、乱視の軸は１〜１８０の値で表わされる。眼鏡用レンズ処方結果において、球面レンズおよび円柱レンズは正の数であり、最小値はブランクでありゼロと見なされる。大きい瞳孔球面レンズ（large pupil spherical lens）は、小さい瞳孔球面レンズ（small pupil spherical lens）より大きい。大きい瞳孔球面レンズは＋０．２５ＤＳ〜＋１５．００ＤＳであり、大きい瞳孔円柱レンズ（large pupil cylindrical lens）は＋０．２５ＤＣ〜＋８．２５ＤＣである。１つの大きい瞳孔円柱レンズは、５つの小さい瞳孔円柱レンズ（small pupil cylindrical lenses）に対応する。
【００１３】
一の態様では、屈折状態は近視を含み、眼鏡用レンズ処方において、球面レンズおよび円柱レンズの両方を無し（null）とでき、円柱レンズが無し（null）である場合、軸は存在しない。大きい瞳孔球面レンズ（large pupil spherical lens）が無し（null）である場合、その対応する小さい瞳孔球面レンズ度数（small pupil spherical lens power）は−０．２５ＤＳの絶対値以上である。大きい瞳孔球面レンズ度数（large pupil spherical lens power）の絶対値は、小さい瞳孔球面レンズ度数の絶対値よりも小さい。軸は、小数点を用いない１〜１８０の範囲の正の整数である。大きい瞳孔球面レンズは０．２５単位で増分する−０．２５ＤＳ〜−１５．００ＤＳの範囲であり、大きい瞳孔円柱レンズ（large pupil cylindrical lens）は−０．２５ＤＣ〜−７．００ＤＣであり、軸は入力値として設定される。大きい瞳孔（large pupil）と、小さい瞳孔（small pupil）と、眼鏡用レンズ処方軸と、は調和（consistent）している。
【図面の簡単な説明】
【００１４】
【図１】屈折異常の分類を示す。
【図２】本願発明の一実施形態に係る小児用自動検眼分析システムのフローチャートである。
【図３】本願発明の一実施形態に係る小児用自動検眼分析システムの構造図である。
【図４】本願発明の一実施形態に係る小児用自動検眼分析システムの主制御板のハードウェアの設計のブロック図である。
【図５】本願発明の一実施形態に係る小児用自動検眼分析システムのＦＰＧＡの内部機能モジュールのブロック図である。
【図６】本願発明の一実施形態に係る小児用自動検眼分析システムの眼鏡用レンズ処方のフローチャートである。
【図７】本願発明の一実施形態に係る小児用自動検眼分析システムにおいて用いられる近視、遠視および混合乱視の算法式である。
【図８】本願発明の一実施形態に係る小児用自動検眼分析システムの近視処方の一例である。
【図９】本願発明の一実施形態に係る小児用自動検眼分析システムの遠視処方の一例である。
【発明を実施するための形態】
【００１５】
本願の小児用自動検眼分析システムは、屈折異常（ametropia）の患者に適しており、特に子供および小児に適している。本願の小児用自動検眼分析システムは、眼科医による屈折異常の治療の成功事案のデータを結合し、屈折異常の小児のための共通規則を形成して、情報源が異なる異質なデータの収集、蓄積、整理、共有、および利用の問題を解決する。本願の小児用自動検眼分析システムは、屈折異常の小児のための検眼用の有効な標準（norm）のための技術手段を提供し、屈折異常の小児の検眼の精度および効率を向上する。
【００１６】
本願において、屈折異常の分類、患者の年齢などが考慮される。考慮する要因は、基本的に以下のように分類される。
・屈折異常条件は、近視、遠視および混合乱視に分割される（図１参照）。
・患者の年齢範囲は１〜１８歳である（患者の年齢に関するプリセット（予め入力された）情報を収集することができる）。
・各条件には四つのブロックが含まれる。点眼薬の落下後の屈折状態（瞳孔の拡張後）と、点眼薬の落下前の屈折状態（瞳孔の拡張前）と、眼鏡用レンズ処方１と、眼鏡用レンズ処方２と、である。
・各ブロックは、三つの部分、すなわち球面レンズと、円柱レンズと、軸と、の組み合わせである。
【００１７】
眼鏡用レンズ処方の際に、以下の年齢相関を有する。
・年齢は、６つのグループ、すなわち１〜３才、４〜６才、７〜９才、１０〜１２才、１３−１５才、および１６〜１８才に分けられる。
・グループの年齢が増加するにつれて、眼鏡用レンズ処方によって提供される度数（power）は増加する。
【００１８】
瞳孔の拡張後の屈折状態相関に関して、以下のことが考慮される。
・眼鏡用レンズ処方において、瞳孔の拡張後の患者の屈折状態を一次基準要因として考慮する。
・眼鏡用レンズ処方において、瞳孔の拡張前の患者の屈折状態を二次基準要因として考慮する。
【００１９】
眼鏡用レンズ処方において、球面レンズ度数（spherical lens power）＝瞳孔の拡張後の球面レンズ度数（予備的（preliminary）眼鏡用レンズ処方データとして）−ｆ１係数（ｆ１係数は球面レンズ補正係数であり、年齢との相関＋瞳孔の拡張後の球面レンズの度数との相関を有する）、である。
・球面レンズの度数の単位は「ＤＳ」である。
・眼鏡用レンズ処方において、円柱レンズ度数（cylindrical lens power）＝瞳孔の拡張後の円柱レンズ度数（予備的（preliminary）眼鏡用レンズ処方データとして）−ｆ２係数（ｆ２係数は円柱レンズ補正係数であり、年齢との相関＋瞳孔の拡張後の円柱レンズ度数との相関を有する）、である。
・円柱レンズの度数の単位は「ＤＣ」である。
・眼鏡用レンズ処方の軸＝瞳孔の拡張後の軸である。
・軸には単位がない。
【００２０】
上記を考慮して小児検眼技術を製品で実現した場合、多数の小児眼科医がその技術を習得する方法を容易に学ぶことができ、そして、眼科医によって提供される技術サービスは専門家のレベルに達する。これは、多くの屈折異常の小児に役立てることができる。多くの人々に有益であることは間違いなく、重要な意味がある。本願は、上記の思想に基づいて、小児用自動検眼分析システムを提供する。小児眼科医の医療ケースおよび事案の例の集積を通じて、そして情報の収集および検索を通じた患者の年齢および屈折調節能力（refraction accommodation capability）に応じて、適当な眼鏡用レンズ処方が生成される。患者は、担当の眼科医がたとえ専門家でなくても、専門家レベルの高品質な診断サービスを受けることができる。
【００２１】
本実施形態の小児用自動検眼分析システムは、専門家の事案データベースに基づいて構築された診断装置である。専門家の事案データベースは、１００，０００人もの屈折異常の小児の治療の成功事案の統計および集計を含む、小児眼科医のほぼ３０年間にわたる医療行為の経験の蓄積である。これは有効であると証明されたものである。しかしながら、そのようなデータベースの構築には技術的課題がある。データの記録、集計、分析ならびに改良、および、近視、遠視、乱視、小児の年齢、屈折調整力（refraction regulating）ならびに多くの他の要因の適用範囲（coverage）がデータベースモデルの確立上の難問であるからである。本願における本実施形態の小児用自動検眼分析システムは、専門家の事案データベースを有し、利用する。
【００２２】
図２を参照して、本願の小児用自動検眼分析システムは、成熟した検眼技術を利用し、他覚的な眼の屈折データ（objective eye refraction data）を取得し、そして専門家の事案のデータベースに応じて二次データ処理を実行する。システムには、データの通信、収集、処理および出力などの技術的側面が含まれる。従来の屈折計に基づく、本願の実施形態の小児用自動検眼分析システムは、さらに、データインタフェースならびにドライバ、データベース検索、基本データ入力ならびにヒューマンコンピュータインタラクションの総合的技術設計を有してもよい。それには、コンピュータアプリケーションの分野におけるＤＳＰ（デジタル・システム・プロセッサ）アプリケーションプログラムの設計、およびソフトウェアならびにハードウェアインターフェースの設計など技術的内容が含まれる。その基本構造を図３に示す。
【００２３】
ソフトウェアについては、本願の小児用自動検眼分析システムは、小児眼科医の検眼および医療方式に基づいており、実用的な医療事案のデータベースシステムおよび対話型インデックス通信ソフトウェアを形成する。ハードウェアについては、システムは、主として、屈折計、デスクトップコンピュータおよびプリンタなどを用いて、本願の小児用自動検眼分析システムを形成する。本願の小児用自動検眼分析システムは主として患者の検眼データを取得するための主制御板を備えており、上位コンピュータを主制御板と接続することができる。上位機械は、主制御板から得られた検眼データに応じて処理を実行し、対応する予備的眼鏡用レンズ処方データを生成し、収集された既定の患者情報に基づいて予備的眼鏡用レンズ処方データを補正し、患者に適した最終眼鏡用レンズ処方を生成できる。収集された既定の患者情報に基づく予備的眼鏡用レンズ処方データの補正には、予備的眼鏡用レンズ処方データを補正するための年齢に関連した補正係数の使用が含まれる。
【００２４】
本願の実施形態にかかる小児用自動検眼分析システムの主な機能には、
ａ）自覚的な眼の屈折検眼機能（subjective eye refraction optometric function）を有すること、
ｂ）小児の年齢の認識後、小さい瞳孔度数と大きい瞳孔度数と（small pupil power and large pupil power）の二セットの眼鏡用レンズ処方を表示又は印刷すること
が含まれる。
【００２５】
本願の実施形態にかかる小児用自動検眼分析システムの主な技術的標準には、
ａ）頂点距離（apex distance）：０．０，１２．０，１３．７５
ｂ）球面レンズ：−２０．００〜＋２０．００Ｄ（ＶＤ＝１２ｍｍの場合）
ｃ）（ステップ：０．１２Ｄ）：０．１２Ｄ，０．２５Ｄ
ｄ）円柱レンズ：０．００〜±８．００Ｄ（ステップ：０．１２Ｄ）
ｅ）軸（axial）：１〜１８０°（ステップ：１°）
ｆ）乱視マーク：−，＋，±
ｇ）瞳孔距離：４５〜７５ｍｍ
ｈ）最小検知可能瞳孔：２．５ｍｍ
ｉ）データ保存：１つの眼に用いる３回の計測のデータを保持
ｊ）内部プリンタ：感熱ラインプリンタ
ｋ）電源：２２０Ｖ±１０％，５０Ｈｚ
【００２６】
本願の小児用自動検眼分析システムは、ＦＰＧＡ（フィールドプログラマブルゲートアレイ）の屈折計制御システムおよびＵＳＢインターフェースの設計方式を利用する。設計方式におけるコンピュータ化された検眼のインターフェース設計は、従来の屈折計に基づいて変更されてもよい。コンピュータ制御システムを、ＦＰＧＡに基づいて設計することができる。また、装置をコンピュータに接続するためにＵＳＢ技術を利用し、データ通信の速度を高速化することもできる。小児のための眼鏡用レンズ処方では、コンピュータキーボードを介して専門家データベースと連係することができる。
【００２７】
制御システムは、小児用自動検眼分析システムの制御のコア（中核）である。制御システムは、多軸モータの動作および光源制御を実現するだけでなく、上位コンピュータの情報の交換および他の重要な機能も実現する。本願の小児用自動検眼分析システムの主制御板の設計は、最小のＥＰ３Ｃ１６Ｑ２４０Ｃ８システムの拡張（expansion）とすることができる。ＦＰＧＡ機能実現および関連する外部拡張に基づき、ピンインターフェースの適切な変更が行なうことができる。また、ＵＳＢ通信インターフェース、モータ駆動モジュール、および移動スイッチ信号の光電子アイソレータ回路を追加することもできる。図４に、小児用自動検眼分析システムの主制御板のハードウェアの設計のブロック図を示す。
【００２８】
図４において、主制御板のＦＰＧＡは、アルテラ社製のＣｙｌｏｎｅ（登録商標）IIIシステムのＥＰ３Ｃ１６Ｑ２４０Ｃ８Ｎチップである。チップは、１５，４０８の論理ユニットを有する。チップは、５１６，０９６バイトのランダム・アクセス・メモリー（ＲＡＭ）を提供することができる。チップはまた４つのフェーズロックループを備えることができる。その場合、システムのクロック信号が高速で動作する時にも安定性を保証することができる。１２ＭＨｚの水晶振動子（crystal）を、システムのクロック信号に用いることができる。モータ駆動ユニットを、Ａｌｌｅｒｇｏ社製の２相モータ専用のＳＬＡ７０４２Ｍドライバチップとすることができる。これにより、非常にスムーズな低速駆動を達成することができる。メインチップと外部機器との間の通信を実現するために、制御板は３．３Ｖと５Ｖとの間のレベル変換を行う。ＦＰＧＡは、テキサスインスツルメンツ（ＴＩ）社製の１６ビット構成３．３Ｖ−５Ｖ用のレベル変換ＳＮ７４ＡＬＶＣ１６４２４５チップを利用することもできる。ＵＳＢインターフェース制御ユニットをＰＤＩＵＳＢＤ１２チップとすることができる。ＰＤＩＵＳＢＤ１２チップは、ある外部機器に適したＳＩＥ  ＦＩＦＯ読み出し専用メモリ、トランシーバーおよび電圧調整器の集積チップである。主制御板全体の中央処理装置としてＦＰＧＡユニットは、バイレベル（bi-level）の変換ユニットとＵＳＢインターフェース制御ユニットとにそれぞれ接続される。ＵＳＢインターフェース制御ユニットを、ＵＳＢインターフェースと接続でき、ＵＳＢインターフェースを通じて上位コンピュータと接続でき、そして上位コンピュータのヒューマンコンピュータインターフェースを通じてＦＰＧＡユニットと連係できる。バイレベル変換ユニットをモータ駆動ユニットと接続することもできる。モータ駆動ユニットを運動プラットフォームに接続でき、モータ駆動ユニットにより３軸（ＸＹＺ）モータを制御することができる。同時に、ＦＰＧＡユニットを、光電子アイソレータを通じて運動プラットフォームに接続することができる。ＦＰＧＡユニットを、ＩＯインターフェースを通じて光学システムに接続することもできる。
【００２９】
Ｖｅｒｉｌｏｇ  ＨＤＬは、ハードウェア記述言語である。Ｖｅｒｉｌｏｇ  ＨＤＬは、主として、アルゴリズムレベル、ゲートレベルから、スイッチレベルまでの種々の抽象的設計レベルのデジタルシステム・モデリングに用いられる。ＦＰＧＡチップは、屈折計の主制御板のコア要素である。本設計方式においては、上位コンピュータと下位コンピュータとの間の情報の交換、運動プラットフォームにおける多軸リンケージ・モータの制御、光源の制御などを実現するために、Ｖｅｒｉｌｇ  ＨＤＬをＦＰＧＡにおいて用いることができる。図５は、ＦＰＧＡの内部機能モジュールのブロック図である。
【００３０】
ＦＰＧＡの内部機能モジュールは、以下のものを含む。
１）ＵＳＢインターフェース制御モジュール：ＦＰＧＡ内部ＵＳＢファームウェアプログラムであり、ＦＰＧＡユニットと上位コンピュータのＵＳＢインターフェースとの間の通信を行う。
２）クロックモジュール：外部の１２ＭＨｚクロックへの周波数分割多重化プロセス（frequency division and multiplication processes）を行い、ＦＰＧＡユニットの動作に必要とされる種々の周波数のクロック信号を生成する。
３）コマンド分析モジュール：上位コンピュータから受信したコマンドを分析し、規定されたコマンドプロトコルに応じて実行命令を生成し、実行命令を実行に対する種々のモジュールに送信する。
４）モータ制御モジュール：コマンド分析モジュールから送信された３軸モータ制御コマンドを実行し、それぞれの軸のモータの細分化・変速度制御（subdivision and variable speed control）を実行し、最終的にモータ駆動ユニットへの種々のコマンドの送信を通じて３軸リンケージ制御を実行する。
５）光源制御モジュール：光学システムの５つのＬＥＤ赤外線光源および３つの視覚用光源を制御する。３つの視覚用光源は患者の視線方向を誘導するよう用いられる。５つのＬＥＤ赤外線光源は焦点合わせを補助するよう用いられる。
【００３１】
小児用自動検眼分析システムの制御システムの上位コンピュータのソフトウェアは、他覚的な検眼データ（objective optometry data）の収集、専門家データベースの検索および管理、眼鏡用レンズ処方のプロセスの完了、および前処理に基づいた眼鏡用レンズ処方の送信などの処理のタスクを完全実行する役割を主として担う。屈折計および眼鏡用レンズ処方データベースが二つの別々の装置であるので、これらの装置を適切に機能させるために、専用のドライバプログラムおよびソフトウェアが書き込まれる。
【００３２】
ａ）ドライバプログラムの書き込み（Writing of driver program）
ドライバプログラムを、Ｄｒｉｖｅｒ  Ｓｔｕｄｉｏ、ＷｉｎＤｒｉｖｅｒなどのドライバ開発のための専用ツールによって書き込むことができる。Ｄｒｉｖｅｒ  Ｓｔｕｄｉｏ３．２を用いて開発を行なう場合、ファームウェアデバイスに記載されていたものと一致したＵＳＢベンダーＩＤおよびＵＳＢプロダクトＩＤにおける情報を入力する必要があることに注意しなければならない。ＰｈｉｌｉｐｓのＰＤＩＵＳＢＤ１２チップが用いられるので、デバイスのベンダーＩＤは０ｘ０４７１と設定される。Ｄｒｉｖｅｒ  ＳｔｕｄｉｏのＤｒｉｖｅｒ  Ｗｉｚａｒｄを用いたドライバ・フレームワークの生成後、Ｖｉｓｕａｌ  Ｃ＋＋６．０を用いて、必要に応じてＤｒｉｖｅｒ  Ｗｉｚａｒｄによって生成されたプロジェクトファイルの機能を変更することができる。また、ベンダー専用の要求を書き込んで、カスタマイズされたＩＯ制御インターフェース機能の処理を実行することもできる。これらがすべて完了した後、ドライバプログラムをコンパイルすることができる。ドライバプログラムのコンパイルに成功した後、Ｄｒｉｖｅｒ  Ｓｔｕｄｉｏによって自動生成された．ｉｎｆファイルと同じカテゴリーにそれを置くことができる。ドライバを探す場合、単にこのカテゴリーを指定することができる。
【００３３】
ｂ）上位コンピュータのアプリケーションプログラムの書き込み
デバイスが上位コンピュータとデバイスとの間の通信にＵＳＢインターフェースを用いるので、上位コンピュータのアプリケーションプログラムはＵＳＢドライバを通じてデバイスへのアクセスを達成することができる。上位コンピュータのアプリケーションプログラムの書き込みは、ＵＳＢドライバによって定義されるインターフェース仕様に準拠する必要がある。一般的には、ドライバ・プロジェクトがＤｒｉｖｅｒ  Ｗｉｚａｒｄによって生成された後、ｉｏｃｔｌ．ｈファイルが同時に生成される。このファイルは、アプリケーションプログラムとドライバとの間で確立されたブリッジである。これにより、ドライバプログラムのインターフェースが定義される。アプリケーションプログラムを書き込む場合、これを適用する必要がある。
【００３４】
上位コンピュータのアプリケーションプログラム全体を、ビデオ表示領域と、（直接制御）動作領域と、ＭＯＴＯＲ（モータ）制御領域と、ＬＥＤ制御領域と、リアルタイム処理（データ）表示領域と、状況フィードバックデータ表示領域と、を含む６つの領域に分割することができる。システムのヒューマンコンピュータインタラクション機能は、ｗｉｎｄｏｗｓのプラットフォーム上のＶＣ＋＋６．０コンパイル環境を用いて設計し完成することができる。追跡し焦点を合わせる（トラッキング・フォーカシング）プロセスを視覚的に表示することができ、人間の眼のトラッキングを制御する制御が容易な視覚化プロセスを行うことができる。人間の眼をトラッキングするシステム(human eye tracking system)を、ヒューマンコンピュータインターフェースを通じて制御することができる。
【００３５】
上位コンピュータのアプリケーションプログラムは、小児眼科医のデータベースを基礎としてもよい。専門家の眼鏡用レンズ処方の成功事案の統計および解析を実行し、適用範囲の大きなデータベースモデルを開発し、ヒューマンコンピュータインターフェースを通じて照会し索引付けする（enquiring and indexing）３〜１８才の患者の検眼データベースを生成するため、データベース構築言語およびＣ言語が用いられる。
【００３６】
本願の小児用自動検眼分析システムには、小児の成功した検眼の事案に関する研究を含めることができる。これには、フレームワークおよび小児眼科医の検眼データベースの管理（更新、照会、保存、索引付けなど）、および異常なデータアクセスの解決ならびに傾向管理（trend management）が含まれる。既存の屈折計の技術的な変更を行うことができ、これには、動作モード、インターフェース拡張、通信ドライバおよびコントロールソフトウェアの開発が含まれる。
【００３７】
一般的な検眼の主機能から離れて、本願の小児検眼補正設備には、１８歳未満の患者のための検眼の特別な補正機能が追加される。眼鏡用レンズ処方において、小児の調整（regulation）およびリラグゼーション機構と同様に、視力発達の見込み（potential of vision development）の効果および要件が十分に考慮されている。これにより、小児の視力発達パターン（vision development pattern）に応じて個々人の眼鏡用レンズ処方を適切に提供する。その成功例としての発達および使用法は、屈折異常の小児のための有効な補正治療に適している。これは何億人もの小児に役立つことになろう。その広範囲な応用は非常に意義深い。それは小児眼科の実務者たちによって実際に調査された価値ある重要な規範（トピック）である。本システムの応用および提唱は、非常に有望であると期待される。
【００３８】
図６〜図９は、本願の一実施形態にかかる小児用自動検眼分析システムの屈折異常の変換式および例を示している。眼鏡用レンズ処方変換式は以下の通りである。
眼鏡用レンズ処方の球面レンズ度数＝瞳孔の拡張後の球面レンズ度数−ｆ１係数
眼鏡用レンズ処方の円柱レンズ度数＝瞳孔の拡張後の円柱レンズ度数−ｆ２係数
眼鏡用レンズ処方の軸の値＝瞳孔の拡張後の軸の値
（なお、ｆ１係数およびｆ２係数は年齢との相関および瞳孔の拡張後の度数（パワー）との相関を有する）
【００３９】
６才の患者、前後方向の眼の位置（anteroposterior eye position）
【表１】
0006436935.tif 000002
【００４０】
【表２】
0006436935.tif 000003
【００４１】
遠視（符号「＋」）
通常の標準の眼の調節(Normal standard eye accommodation）：
１〜３才、４〜６才、７〜９才、１０〜１２才、１３〜１５才および１６〜１８才など年齢グループに応じて、それぞれの年齢グループの通常の標準の眼の調節が区分され、国際標準視力表（international standard vision chart）によって表される（例えば０．１，…，１．５）。
【００４２】
一般に、小児が３才の場合、小児の眼は約３００度（degrees）の調節能力（accommodation capability）がある。小児が成長するにつれて、調節能力は毎年約２５度減少する。１５才のときには、１２年で３００度減少する。所定の年齢グループに応じて、それぞれの年齢グループの調節度（accommodation degree）を決定することができる。例えば、１〜３才のグループは３００度に設定することができる。４〜６才のグループは、１〜３才のグループから所定度を、例えば５０〜７５減算するなどして、それぞれの年齢グループの補正係数を決定することができる。近視または遠視の度数を決定する場合、検眼のデータは補正係数を用いることにより補正され、これにより、眼鏡用レンズ処方における実際の度数を取得することができる。
【００４３】
大きい瞳孔球面レンズ（Large pupil spherical lens）−小さい瞳孔球面レンズ（small pupil spherical lens）＝実際の目の調節（actual eye accommodation）：
１．球面レンズ（spherical lens）および円柱レンズ（spherical lens）の両方を無し（null）とでき（ブランクを表示）、円柱レンズが無し（null）である場合、軸は無し（null）であり（ブランク、つまり軸は必要ではない）、乱視の軸は１〜１８０の値で表示される（乱視がない場合、乱視軸は必要ではない、つまり軸は無し（null）である）。
２．眼鏡用レンズ処方結果において、球面レンズおよび円柱レンズが正の数であり、最小値はブランクでありゼロと見なされる。
３．大きい瞳孔球面レンズは、小さい瞳孔球面レンズより大きい。
４．大きい瞳孔球面レンズは＋０．２５ＤＳ〜＋１５．００ＤＳであり、大きい瞳孔円柱レンズは＋０．２５ＤＣ〜＋８．２５ＤＣである。
５．１つの大きい瞳孔円柱レンズは、５つの小さい瞳孔円柱レンズと対応することができる。
【００４４】
近視（符号「−」）
１．球面レンズおよび円柱レンズの両方を無し（null）、つまりゼロとできる。円柱レンズが無し（null）である場合、軸は存在しない。大きい瞳孔球面レンズが無し（null）である場合、その対応する小さい瞳孔球面レンズ度数（small pupil spherical lens power）は−０．２５ＤＳの絶対値以上である。
２．大きい瞳孔球面レンズ度数の絶対値は、小さい瞳孔球面レンズ度数の絶対値よりも小さい。
３．軸は小数点を用いない１〜１８０の範囲の正の整数である（端数を切り上げ又は切り捨てる、または四捨五入して整数とする）。
４．大きい瞳孔球面レンズは−０．２５ＤＳ〜−１５．００ＤＳの範囲（０．２５単位で増分する）であり、大きい瞳孔円柱レンズは−０．２５ＤＣ〜−７．００ＤＣの範囲である。
５．軸は入力値として設定することができる。大きい瞳孔（large pupil）と、小さい瞳孔（small pupil）と、眼鏡用レンズ処方軸（eyeglass prescription axes）と、は調和している（consistent）。
【００４５】
以上、添付図面を参照して特定の実施形態を説明した。しかしながら、本願は上記の特定の実施形態に限定されない。上記の特定の実施形態は単なる例示であって、限定と見されるものではない。上記の開示から、当業者は、添付の特許請求の範囲から逸脱することなく種々の変形および変更を行うことができることを付言しておく。
【図１】
0006436935.tif 000004
【図２】
0006436935.tif 000005
【図３】
0006436935.tif 000006
【図４】
0006436935.tif 000007
【図５】
0006436935.tif 000008
【図６】
0006436935.tif 000009
【図７】
0006436935.tif 000010
【図８】
0006436935.tif 000011
【図９】
0006436935.tif 000012